(57)【要約】【課題】簡単な構成で廃液を可能にし、廃液タンク及びは廃液配管からの雰囲気の逆流を防止すること。【解決手段】リザーバタンク５から溢れたインク液１及び分配器６から溢れたインク液１を廃液として収集するオーバフロータンク２０の底面に、このオーバフロータンク２０内の廃液を廃液集積タンク１４内に送る廃液送り管３１における廃液集積タンク１４内に貫装された接続用排出管３２の排出口３３に一方向弁３４を設けた。【選択図】      図１
2005103964.tif 000002
【特許請求の範囲】
【請求項１】
インクタンクに収容されているインク液をリザーバタンクから分配器を介してインクヘッドに供給し、このインクヘッドから前記インク液を画像形成媒体に噴射して画像形成する画像形成装置におけるインクの廃液機構において、
少なくとも前記リザーバタンクから溢れ出た前記インク液を収集するオーバフロータンクと、
少なくとも前記オーバフロータンクからの前記インク液及び前記インクヘッドをメンテナンスしたときに回収された前記インク液を廃液として集積する廃液集積タンクと、
前記オーバフロータンクに接続された大気開放口と、
前記オーバフロータンク内の前記インク液を前記廃液集積タンクに送る廃液送り管と、
前記廃液集積タンク内に設けられ、前記廃液送り管により送られてきた前記インク液を前記廃液集積タンク内のみへの一方向に送り込む一方向弁と、
を具備したことを特徴とするインクの廃液機構。
【請求項２】
前記廃液送り管は、前記インク液の排出口に前記一方向弁を設け、かつ前記排出口は、前記廃液集積タンク内において水平方向に設けたことを特徴とする請求項１記載のインクの廃液機構。
【請求項３】
前記一方向弁は、前記インク液の流れ込みによる流圧により開放することを特徴とする請求項１又は２記載のインクの廃液機構。
【請求項４】
前記廃液送り管は、前記廃液集積タンク内に貫装され、かつ略Ｌ字形状に形成された排出口を有する接続用排出管を設け、
前記接続用排出管の前記排出口側は、前記廃液集積タンク内において水平方向に設けたことを特徴とする請求項１記載のインクの廃液機構。
【請求項５】
前記排出口の切口は、前記廃液集積タンク内の水平面に対して傾斜して形成されたことを特徴とする請求項２又は４記載のインクの廃液機構。
【請求項６】
前記オーバフロータンクは、前記リザーバタンクよりも下方の位置に設けられ、
前記廃液集積タンクは、前記オーバフロータンクよりも下方の位置に設けられ、
前記オーバフロータンク内の前記インク液は、前記大気開放口の開放による前記オーバフロータンク内への大気の流入と前記オーバフロータンク内の前記インク液の自重とによって前記廃液集積タンク内に廃棄されることを特徴とする請求項１記載のインクの廃液機構。
【請求項７】
前記オーバフロータンク内に収集された前記インク液の液量が所定の液量になったことを検出してその検出信号を出力する液面センサと、
前記液面センサから出力された前記検出信号を受信して前記インク液が溢れたことを報知する報知部と、
を有することを特徴とする請求項１又は６記載のインクの廃液機構。
【請求項８】
前記大気開放口は、大気開放フィルタを通過した大気を前記オーバフロータンク内に導くことを特徴とする請求項１記載のインクの廃液機構。
【請求項９】
前記オーバフロータンクは、前記リザーバタンクから溢れ出た前記インク液、前記分配器から溢れ出た前記インク液を収集することを特徴とする請求項１記載のインクの廃液機構。
【請求項１０】
前記廃液集積タンクは、前記オーバフロータンクからの前記インク液、前記インクヘッドのメンテナンス時に前記インクヘッドから落ちた前記インク液、及び前記インクヘッドのメンテナンス時に前記インクヘッドの表面から吸い取られた前記インク液を廃液として集積することを特徴とする請求項１記載のインクの廃液機構。
【請求項１１】
前記廃液集積タンクの高さ位置よりも下方に設けられ、前記廃液集積タンクからの前記廃液を最終的に貯える廃液タンクが接続されたことを特徴とする請求項１記載のインクの廃液機構。
【請求項１２】
インクタンクに収容されているインク液をリザーバタンクから分配器を介してインクヘッドに供給し、このインクヘッドから前記インク液を画像形成媒体に噴射して画像形成する画像形成装置におけるインクの廃液機構において、
前記リザーバタンクから溢れ出た前記インク液、前記分配器から溢れ出た前記インク液を収集する前記リザーバタンクよりも下方の位置に設けられたオーバフロータンクと、
前記オーバフロータンクからの前記インク液、前記インクヘッドのメンテナンス時に前記インクヘッドから落ちた前記インク液、及び前記インクヘッドのメンテナンス時に前記インクヘッドの表面から吸い取られた前記インク液を廃液として集積する前記オーバフロータンクよりも下方の位置に設けられた廃液集積タンクと、
前記オーバフロータンクに接続された大気開放口と、
前記オーバフロータンクと前記廃液集積タンクとの間に設けられ、前記廃液集積タンク側を前記廃液集積タンク内に貫装し、かつ前記廃液集積タンク内において水平方向に設けられた排出口を有し、前記大気開放口の開放による前記オーバフロータンク内への大気の流入と前記オーバフロータンク内の前記インク液の自重とにより前記オーバフロータンク内から流出した前記インク液を前記廃液集積タンク内に送る廃液送り管と、
前記廃液集積タンク内に貫装された前記排出口に設けられ、前記廃液送り管により送られてきた前記インク液を当該インク液の流れ込みによる流圧により開放して前記廃液集積タンク内のみへの一方向に送り込む一方向弁と、
を具備したことを特徴とするインクの廃液機構。
【請求項１３】
インクタンクに収容されているインク液をリザーバタンクから分配器を介してインクヘッドに供給し、このインクヘッドから前記インク液を画像形成媒体に噴射して画像形成する画像形成装置におけるインクの廃液方法において、
少なくとも前記リザーバタンクから溢れ出た前記インク液を収集するオーバフロータンクを前記リザーバタンクよりも下方の位置に設けると共に、少なくとも前記オーバフロータンクからの前記インク液及び前記インクヘッドをメンテナンスしたときに回収された前記インク液を廃液として集積する廃液集積タンクを前記オーバフロータンクよりも下方の位置に設け、
前記オーバフロータンク内の前記インク液を、前記オーバフロータンクに接続された大気開放口からの前記オーバフロータンク内への大気の流入圧と前記オーバフロータンク内の前記インク液の自重とにより前記廃液集積タンク内に廃棄することを特徴とするインクの廃液方法。
【発明の詳細な説明】
【技術分野】
【０００１】
本発明は、例えばインクジェット方式の画像形成装置に係り、インクタンクからインクヘッドにインク液を供給するインク経路から溢れた前記インク液を排出するインクの廃液機構及びその方法に関する。
【背景技術】
【０００２】
インクジェット方式の画像形成装置は、インクタンクに収容されているインク液をリザーバタンクを介して分配器に送り、この分配器から複数のインクヘッドに供給し、これらインクヘッドからインク液を記録用紙等の画像形成媒体に向けて噴射することにより画像を画像形成媒体上に形成する。このような画像形成装置では、例えばリザーバタンクから溢れたインク液や各インクヘッドに対するメンテナンス時に各インクヘッドから落ちたインク液を廃液として排出する必要がある。
【０００３】
このような廃液の排出方法は、例えば特許文献１に記載されている。この特許文献１は、記録ヘッドの目詰まりを解消するために記録ヘッドから予備吐出しされたインク液を廃液チューブなどを通して構造部材内に自然落下させ、又記録ヘッドの吐出口面をワイパーブレードによってクリーニングしたときにワイパーブレードに付着したインク液をワイパートレイに落下させ、このワイパートレイに落下したインク液を構造部材内に自然落下させる。又、記録ヘッドの吐出口面をキャッピングするキャップからの廃液は、吸引ポンプの駆動により構造部材内に排出させる。そして、構造部材内の廃液の液面が所定の高さよりも高くなると、構造部材内が吸引ポンプによって加圧されることにより、構造部材内の廃液が廃液タンク内に排出される。
【特許文献１】特開２０００−２８９２３２号公報
【発明の開示】
【発明が解決しようとする課題】
【０００４】
特許文献１は、構造部材内に収集された廃液を吸引ポンプの駆動による加圧により廃液タンク内に排出するものであり構成が複雑である。また、メンテナンス後等の各色インク廃液が廃液チューブ等を介して収集される当該構造部材内の雰囲気は、例えば微小な塵、埃等を有するので、一般にフィルタ等の除去をしてからインクヘッドのインク供給系等において使用するか、又は、当該雰囲気を使用せずに他の一般大気開放口から流入される大気をインクヘッドのインク供給系において使用するか、さらには一般大気開放口の配管途中にフィルタ等を介した後の大気をインクヘッドのインク供給系において使用するのが一般的である。
【０００５】
しかしながら、特許文献１は、構造部材内へサブタンクから供給ポンプを用いてインク供給する際、廃液チューブを一部通して供給させる構成をとることからも、廃液チューブ内における微小な塵、埃等が混在する雰囲気に対して考慮されていない。
【課題を解決するための手段】
【０００６】
本発明は、インクタンクに収容されているインク液をリザーバタンクから分配器を介してインクヘッドに供給し、このインクヘッドからインク液を画像形成媒体に噴射して画像形成する画像形成装置におけるインクの廃液機構において、少なくともリザーバタンクから溢れ出たインク液を収集するオーバフロータンクと、少なくともオーバフロータンクからのインク液及びインクヘッドをメンテナンスしたときに回収されたインク液を廃液として集積する廃液集積タンクと、オーバフロータンクに接続された大気開放口と、オーバフロータンク内のインク液を廃液集積タンクに送る廃液送り管と、廃液集積タンク内に設けられ、廃液送り管により送られてきたインク液を廃液集積タンク内のみへの一方向に送り込む一方向弁とを具備したインクの廃液機構である。
【０００７】
本発明は、インクタンクに収容されているインク液をリザーバタンクから分配器を介してインクヘッドに供給し、このインクヘッドからインク液を画像形成媒体に噴射して画像形成する画像形成装置におけるインクの廃液機構において、リザーバタンクから溢れ出たインク液、分配器から溢れ出たインク液を収集するリザーバタンクよりも下方の位置に設けられたオーバフロータンクと、オーバフロータンクからのインク液、インクヘッドのメンテナンス時にインクヘッドから落ちたインク液、及びインクヘッドのメンテナンス時にインクヘッドの表面から吸い取られたインク液を廃液として集積するオーバフロータンクよりも下方の位置に設けられた廃液集積タンクと、オーバフロータンクに接続された大気開放口と、オーバフロータンクと廃液集積タンクとの間に設けられ、廃液集積タンク側を廃液集積タンク内に貫装し、かつ廃液集積タンク内において水平方向に設けられた排出口を有し、大気開放口の開放によるオーバフロータンク内への大気の流入とオーバフロータンク内のインク液の自重とによりオーバフロータンク内から流出したインク液を廃液集積タンク内に送る廃液送り管と、廃液集積タンク内に貫装された排出口に設けられ、廃液送り管により送られてきたインク液を当該インク液の流れ込みによる流圧により開放して廃液集積タンク内のみへの一方向に送り込む一方向弁とを具備したインクの廃液機構である。
【０００８】
本発明は、インクタンクに収容されているインク液をリザーバタンクから分配器を介してインクヘッドに供給し、このインクヘッドからインク液を画像形成媒体に噴射して画像形成する画像形成装置におけるインクの廃液方法において、少なくともリザーバタンクから溢れ出たインク液を収集するオーバフロータンクをリザーバタンクよりも下方の位置に設けると共に、少なくともオーバフロータンクからのインク液及びインクヘッドをメンテナンスしたときに回収されたインク液を廃液として集積する廃液集積タンクをオーバフロータンクよりも下方の位置に設け、オーバフロータンク内のインク液を、オーバフロータンクに接続された大気開放口からのオーバフロータンク内への大気の流入圧とオーバフロータンク内のインク液の自重とにより廃液集積タンク内に廃棄するインクの廃液方法である。
【発明の効果】
【０００９】
本発明は、オーバフロータンクから溢れたインク液をインク集積タンクへインク液の自重作用のみで廃液可能とすると共に、インク廃液時以外は、インク集積タンク内の雰囲気をオーバフロータンク内へ流入することを防止できるインクの廃液機構及びその方法を提供できる。
【発明を実施するための最良の形態】
【００１０】
以下、本発明の一実施の形態について図面を参照して説明する。
【００１１】
図１はインクの廃液機構を用いたインクジェット方式の画像形成装置の全体構成図である。このインクジェット方式の画像形態装置には、ブラック（Ｋ）、シアン（Ｃ）、マゼンタ（Ｍ）及びイエロ（Ｙ）の各色のインク液１をそれぞれ収容する複数のインクタンク２が設けられている。なお、図１では１色のインク液１に対する１インク経路のみを示す。インクタンク２には、開閉弁３を設けたインク経路チューブ４が接続されている。このインク経路チューブ４は、湾曲して下方に配置され、下端口をリザーバタンク５内のインク液１に浸している。
【００１２】
リザーバタンク５には、インク分配器６に接続されたインク液供給チューブ７の吸込み口がインク液１に浸されている。
【００１３】
インク分配器６の下部には、インク入液流路８、インク流路の封止機構９を介してインクジェット方式の複数のインクヘッド１０が接続されている。このインクヘッド１０は、固定配置されるもので、下面に複数のノズルを例えば一列に配列している。このインクヘッド１０は、当該インクヘッド１０の下方に搬送される記録用紙等の画像形成媒体１１に対して複数のノズルからインク液１を噴射する。なお、各インクヘッド１０は、図示する煩雑さを避けるために１個だけ示す。
【００１４】
ここで、リザーバタンク５は、各インクタンク２の高さ位置よりも下方に設けられている。インク分配器６は、各インクタンク２の高さ位置よりも下方で、かつリザーバタンク５の高さ位置よりも上方に設けられている。又、各インクヘッド１０の下面は、リザーバタンク５内に収容されているインク液１の液面高さよりも高く設けられている。
【００１５】
各インクヘッド１０の下方には、それぞれインクパン１２が設けられている。これらインクパン１２は、各インクヘッド１０のメンテナンス時に、当該インクヘッド１０の下面に対してワイパーを摺動させてクリーニングしたときにインクヘッドから落ちたインク液１を収集する。これらインクパン１２は、上部を開放した容器であり、その底面を傾斜してある。このインクパン１２の底面における傾斜の下部側には、インク液排出チューブ１３が設けられている。このインク液排出チューブ１３は、インクパン１２内に収集されたインク液１を廃液集積タンク１４内に送る。
【００１６】
又、各インクヘッド１０の下方には、それぞれヘッド吸引ノズル１５が設けられている。これらヘッド吸引ノズル１５には、各インク液排出チューブ１６が設けられている。これらインク液排出チューブ１６の途中には、それぞれ吸引チャンバ１７を介して吸引ファン１８が設けられている。これら吸引ファン１８は、ファンを回転動作させることにより、吸引チャンバ１７からインク液排出チューブ１６を通してヘッド吸引ノズル１５に吸引動作を行わせる。これにより、各ヘッド吸引ノズル１５は、各インクヘッド１０のメンテナンス時に各インクヘッドの下面からインク液１を吸い取る。これらインクヘッドの下面から吸い取られたインク液１は、各インク液排出チューブ１６を通って廃液集積タンク１４内に送られる。
【００１７】
リザーバタンク５には、インク液排出チューブ１９が設けられている。このインク液排出チューブ１９は、リザーバタンク５の上面から導出され、さらに湾曲して下方に配置されてオーバフロータンク２０に接続されることにより、リザーバタンク５から溢れたインク液１をオーバフロータンク２０に送る。このインク液排出チューブ１９には、開閉弁２１が設けられている。
【００１８】
又、インク液排出チューブ１９の途中には、加圧用チューブ２２が分岐して設けられている。この加圧用チューブ２２は、加圧チャンバ２３を介して加圧ファン２４に接続されている。又、加圧用チューブ２２には、加圧用開閉弁２５が設けられている。
【００１９】
通常、開閉弁２１が開放され、加圧用開閉弁２５が閉じている。これにより、リザーバタンク５から溢れたインク液１は、インク液排出チューブ１９を通してオーバフロータンク２０に送られる。
【００２０】
メンテナンス時、開閉弁２１が閉ざされ、加圧用開閉弁２５が開放される。この状態で、加圧ファン２４のファンが回転することにより、加圧チャンバ２３から加圧用チューブ２２を通してリザーバタンク５のインク液排出チューブ１９の流入口側に気体の圧力が加えられる。これにより、インク液排出チューブ１９の流入口内に残留するインク液１がリザーバタンク５側に戻されると共に、リザーバタンク５内が加圧されてインク液１は分配器６に圧送される。
【００２１】
オーバフロータンク２０は、リザーバタンク５の高さ位置よりも下方に設けられている。このオーバフロータンク２０は、分配器６との間にインク液排出チューブ２６が接続されている。このインク液排出チューブ２６には、開閉弁２７が接続されている。このインク液排出チューブ２６は、分配器６から溢れたインク液１をオーバフロータンク２０内に送る。なお、オーバフロータンク２０は、ブラック（Ｋ）、シアン（Ｃ）、マゼンタ（Ｍ）及びイエロ（Ｙ）の各色のインク液１に対する各インク経路で溢れたインク液１を収集する。
【００２２】
又、オーバフロータンク２０は、上方に向って設けられた大気開放管２８が接続されている。この大気開放管２８は、端部に大気開放フィルタ３０が設けられている。
【００２３】
このオーバフロータンク２０は、その底面が傾斜しており、傾斜した下方側の側面には、廃液送り管３１が設けられている。この廃液送り管３１は、下方に向って配置され、その下端部に廃液集積タンク１４内に貫装された接続用排出管３２が設けられている。
【００２４】
この接続用排出管３２は、下方の延びかつその先端部で略９０度折り曲がった略Ｌ字形状に形成されている。この接続用排出管３２の折り曲がった端部には、排出口３３が設けられている。このように排出口３３は、接続用排出管３２が略Ｌ字形状に形成されているので、廃液集積タンク１４内において水平方向に向いて配管されている。この排出口３３の切口の方向は、水平面に対して所定の角度θに傾斜している。
【００２５】
この排出口３３には、一方向弁３４が設けられている。この一方向弁３４は、図２に示すように排出口３３の上部に設けられた支点３５を中心に矢印Ａ方向に回動する。これにより、一方向弁３４は、当該一方向弁３４の自重によって排出口３３を閉じている。一方、前記オーバフロータンク２０の廃液送り管３１からインク液１が流れ込むと、インク液１の流圧により排出口３３を開放してインク液１を廃液集積タンク１４内に送る。従って、一方向弁３４は、廃液送り管３１から接続用排出管３２を通って流れ込むインク液１が無ければ、排出口３３を閉じる。
【００２６】
又、排出口３３は、図３に示すように傾斜の切口を有しないものを用い、一方向弁３４を接続用排出管３２の内部に傾斜して設けてもよい。これによっても、一方向弁３４は、廃液送り管３１から接続用排出管３２を通って流れ込むインク液１の流圧により排出口３３を開放してインク液１を廃液集積タンク１４内に送り、かつ廃液送り管３１から接続用排出管３２を通って流れ込むインク液１が無ければ、排出口３３を閉じる。
【００２７】
一方向弁３４は、例えば板バネやスプリング等の弾性部材の付勢力により排出口３３を閉じるようにしてもよい。
【００２８】
廃液集積タンク１４は、ブラック（Ｋ）、シアン（Ｃ）、マゼンタ（Ｍ）及びイエロ（Ｙ）の各色のインク液１の廃液を一時収集する。この廃液集積タンク１４の底面には、廃液管３５を介して廃液タンク３６が接続されている。この廃液タンク３６は、廃液集積タンク１４内に一時集積されたインク液１の廃液を集積する。
【００２９】
又、オーバフロータンク２０の側面には、液面センサ３７が設けられている。この液面センサ３７は、オーバフロータンク２０内に収集されたインク液１の液量が所定の液量になったことを検出してその検出信号を出力する。
【００３０】
廃液制御部４０は、液面センサ３７から出力された検出信号が入力されると、インク液１の満杯報知指示を報知部４１に送る。この報知部４１は、廃液制御部４０からの満杯報知指示を受けてインク液１の当該オーバフロータンク２０の満杯表示を行ったり、警報等を発する。
【００３１】
次に、前記の如く構成された装置の動作について説明する。
【００３２】
インクヘッド１０のメンテナンスでは、インクヘッド１０の下面に対してワイパーを摺動させてクリーニングを行う。このとき、インクヘッドから落ちたインク液１は、インクパン１２に収集される。このインクパン１２は、その底面を傾斜してあるので、インクパン１２内に収集されたインク液１は、インクパン１２の底面における傾斜の下部側に設けられたインク液排出チューブ１３を通して廃液集積タンク１４内に送られる。この廃液集積タンク１４内には、ブラック（Ｋ）、シアン（Ｃ）、マゼンタ（Ｍ）及びイエロ（Ｙ）の各色のインク液１の廃液が集積される。
【００３３】
又、インクヘッド１０のメンテナンスでは、インクヘッド１０の下面に対してヘッド吸引ノズル１５が走査される。このとき、ヘッド吸引ノズル１５は、吸引ファン１８の動作によって吸引動作を行う。これにより、ヘッド吸引ノズル１５は、各インクヘッド１０の下面からインク液１を吸い取る。これらインクヘッド１０の下面から吸い取られたインク液１は、各インク液排出チューブ１６を通って廃液集積タンク１４内に送られる。これにより、廃液集積タンク１４内には、ブラック（Ｋ）、シアン（Ｃ）、マゼンタ（Ｍ）及びイエロ（Ｙ）の各色のインク液１の廃液が集積される。
【００３４】
リザーバタンク５の液面センサ３８が液面検知すると、正常動作における開閉弁３は閉じられ、リザーバタンク５へのインク供給は停止する。例えば、何らかの原因（異常発生）で開閉弁３が閉じられなかった場合、インクタンク２からリザーバタンク５へのインク液１の供給量が増大してリザーバタンク５内のインク液１が満杯になると、このインク液１は、インク液排出チューブ１９を通してオーバフロータンク２０内に送られる。これにより、オーバフロータンク２０内に収集されるインク液１の量が次第に増加し、その液面が上昇し、一定量を超えた場合に超過した分のインク液１を廃液送り管３１を介して廃液集積タンク１４内に集積する。なお、オーバフロータンク２０内には、分配器６の液面センサ３９の液面検知異常等によって溢れた各色のインク液１もインク液排出チューブ２６を通して収集される。
【００３５】
オーバフロータンク２０は、リザーバタンク５よりも下方の位置に設けられ、かつ廃液集積タンク１４は、オーバフロータンク２０よりも下方の位置に設けられているので、オーバフロータンク２０内のインク液１は、大気開放口３０の開放によるオーバフロータンク２０内への大気の流入とオーバフロータンク２０内のインク液１の自重とにより廃液送り管３１を通って廃液集積タンク内に廃棄される。
【００３６】
これと共に、廃液制御部４０は、液面センサ３７から出力された検出信号を入力したときに、インク液１の満杯報知指示を報知部４１に送る。この報知部４１は、廃液制御部４０からの満杯報知指示を受けてインク液１の満杯表示を行ったり、警報等を発する。
【００３７】
インク液１が廃液送り管３１を通って廃液集積タンク内に廃棄されるとき、一方向弁３４は、廃液送り管３１から接続用排出管３２を通って流れ込むインク液１の流圧により排出口３３を開放してインク液１を廃液集積タンク１４内に送る。なお、一方向弁３４は、廃液送り管３１から接続用排出管３２を通って流れ込むインク液１が無ければ、排出口３３を閉じており、廃液集積タンク１４内の雰囲気の接続用排出管３２内及びオーバフロータンク２０内への逆流を防止している。そして、廃液集積タンク１４内に一時集積されたインク液１の廃液は、最終的に廃液管３５を通して廃液タンク３６に送られる。
【００３８】
このように上記一実施の形態によれば、リザーバタンク５から溢れたインク液１及び分配器６から溢れたインク液１を廃液として収集するオーバフロータンク２０の底面に、このオーバフロータンク２０内の廃液を廃液集積タンク１４内に送る廃液送り管３１における廃液集積タンク１４内に貫装された接続用排出管３２の排出口３３に一方向弁３４を設けた。
【００３９】
これにより、オーバフロータンク２０内のインク液１は、大気開放口３０の開放によるオーバフロータンク２０内への大気の流入とオーバフロータンク２０内のインク液１の自重とにより廃液送り管３１を通って廃液集積タンク内に廃液される。このとき、一方向弁３４は、廃液送り管３１から接続用排出管３２を通って流れ込むインク液１の流圧により排出口３３を開放してインク液１を廃液集積タンク１４内に送り、かつ廃液送り管３１から流れ込むインク液１が無ければ、排出口３３を閉じて廃液集積タンク１４内の雰囲気の接続用排出管３２内及びオーバフロータンク２０内への逆流を防止する。
【００４０】
この廃液集積タンク１４内の雰囲気の接続用排出管３２内及びオーバフロータンク２０内への逆流の防止は、ポンプ等を用いて強制的に行うのでなく、一方向弁３４が廃液送り管３１から接続用排出管３２を通って自然落下により流れ込むインク液１の流圧により開放するという簡単な構成で実現できる。
【００４１】
なお、この発明は、上記一実施の形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４２】
【図１】本発明に係るインクの廃液機構の一実施の形態を用いたインクジェット方式の画像形成装置の全体構成図。
【図２】同装置における廃液集積タンク内の一方向弁の開閉作用を示す図。
【図３】同装置における廃液集積タンク内の一方向弁の変形例を示す図。
【符号の説明】
【００４３】
１：インク液、２：インクタンク、３：開閉弁、４：インク経路チューブ、５：リザーバタンク、６：インク分配器、７：インク液供給チューブ、８：インク入液流路、９：インク流路の封止機構、１０：インクヘッド、１１：画像形成媒体、１２：インクパン、１３：インク液排出チューブ、１４：廃液集積タンク、１５：ヘッド吸引ノズル、１６：インク液排出チューブ、１７：吸引チャンバ、１８：吸引ファン、１９：インク液排出チューブ、２０：オーバフロータンク、２１：開閉弁、２２：加圧用チューブ、２３：加圧チャンバ、２４：加圧ファン、２５：加圧用開閉弁、２６：インク液排出チューブ、２７：開閉弁、２８：大気開放管、３０：大気開放フィルタ、３１：廃液送り管、３２：接続用排出管、３３：排出口、３４：一方向弁、３５：支点、３６：廃液タンク、３７〜３９：液面センサ、４０：廃液制御部、４１：報知部。
【図１】
2005103964.tif 000003
【図２】
2005103964.tif 000004
【図３】
2005103964.tif 000005